(57)【要約】【課題】高ＮＡ値であっても良好な面精度が確保できる樹脂成形用金型及び、高ＮＡ値の良好な面精度の光学素子を得る。【解決手段】金型部のフランジ部を形成する部分に、金型部を合わせた際に型内の空気を抜くための空隙部を設け、フランジ部を形成する部分と接する空隙部の光軸方向の寸法が、０．００１ｍｍ〜０．１ｍｍに形成されている樹脂成形用金型とする。【選択図】図３
2008213397.tif 000002
【特許請求の範囲】
【請求項１】
光学機能部と該光学機能部の周辺にフランジ部を有し、前記光学機能部のＮＡ値が０．７以上であって、前記光学機能部は、互いに向かい合う第１の光学機能面と第２の光学機能面とを有し、前記第１の光学機能面のほうが前記第２の光学機能面よりも曲率が小さい光学素子を製造する樹脂成形用金型において、
前記樹脂成形用金型は、前記第１の光学機能面を形成する第１の金型部と、前記第２の光学機能面を形成する第２の金型部とを有し、
前記第１の金型部又は前記第２の金型部の前記フランジ部を形成する部分に、前記第１の金型部と前記第２の金型部を合わせた際に型内の空気を抜くための空隙部が設けられており、
前記フランジ部を形成する部分と接する前記空隙部の光軸方向の寸法が、０．００１ｍｍ〜０．１ｍｍに形成されていることを特徴とする樹脂成形用金型。
【請求項２】
前記光学素子は型開き状態で前記第１の金型部に残ることを特徴とする請求項１に記載の樹脂成形用金型。
【請求項３】
前記光学素子は型開き状態で前記第２の金型部に残ることを特徴とする請求項１に記載の樹脂成形用金型。
【請求項４】
前記空隙部は前記第１の金型部の前記フランジ部を形成する部位に設けられていることを特徴とする請求項１〜３のいずれか１項に記載の樹脂成形用金型。
【請求項５】
前記空隙部は前記第２の金型部の前記フランジ部を形成する部位に設けられていることを特徴とする請求項１〜３のいずれか１項に記載の樹脂成形用金型。
【請求項６】
前記空隙部は、前記樹脂成形用金型に樹脂を注入するための樹脂注入部に対向して設けられていることを特徴とする請求項１〜５のいずれか１項に記載の樹脂成形用金型。
【請求項７】
前記空隙部の周方向の幅をＨとし、金型の前記光学素子の外形に対応する部位において、光軸方向から見た際の光軸を中心とした距離において最小の寸法をＤとしたとき、
０．０１Ｄ≦Ｈ≦Ｄ
を満たすことを特徴とする請求項１〜６のいずれか１項に記載の樹脂成形用金型。
【請求項８】
互いに向かい合う第１の光学機能面と第２の光学機能面とを有し、ＮＡ値が０．７以上の光学機能部と、該光学機能部の周辺にフランジ部と、を有する光学素子であって、
前記第１の光学機能面のほうが前記第２の光学機能面よりも曲率が小さく、
前記フランジ部に光軸と直交する方向に突出した凸部を有し、
前記凸部の前記フランジ部と接する部位の光軸方向の厚みが、０．００１ｍｍ〜０．１ｍｍに形成されていることを特徴とする光学素子。
【請求項９】
前記凸部は、樹脂を注入するための樹脂注入部に対向して設けられていることを特徴とする請求項８に記載の光学素子。
【請求項１０】
前記凸部の周方向の幅をＨとし、前記光学素子の外形において、光軸方向から見た際の光軸を中心とした距離において最小の寸法をＤとしたとき、
０．０１Ｄ≦Ｈ≦Ｄ
を満たすことを特徴とする請求項８又は９に記載の光学素子。
【請求項１１】
前記凸部の位置は、前記フランジ部の光軸方向における中点よりも前記第２の光学機能面側にあることを特徴とする請求項８〜１０のいずれか１項に記載の光学素子。
【請求項１２】
前記凸部の位置は、前記フランジ部の光軸方向における中点よりも前記第１の光学機能面側にあることを特徴とする請求項８〜１０のいずれか１項に記載の光学素子。
【請求項１３】
請求項８〜１２のいずれか１項に記載の光学素子を有することを特徴とする光ピックアップ装置。
【請求項１４】
前記光学素子を保持するホルダは、前記光学素子の凸部に対応する位置に逃げが形成されていることを特徴とする請求項１３に記載の光ピックアップ装置。
【請求項１５】
前記凸部を覆い、前記第１の光学機能面の面頂点よりも光軸方向の高さが高いプロテクタを固着したことを特徴とする請求項１３又は１４に記載の光ピックアップ装置。
【発明の詳細な説明】
【技術分野】
【０００１】
本発明は、光学素子を製造する樹脂成形用金型及び光学素子並びに該光学素子を備えた光ピックアップ装置に関するものである。
【背景技術】
【０００２】
従来より、ＣＤ、ＤＶＤ等の光情報記録媒体への記録、又は再生用の光ピックアップ装置用の光学素子である対物レンズは、樹脂成形されたプラスチックレンズが使用されている。
【０００３】
プラスチックレンズはガラスモールドレンズに比べ、比重が小さくこのため軽量化が可能である。このため、対物レンズを駆動するアクチュエータへの負荷を軽減でき、且つ慣性モーメントが小さいため、その応答性を向上させることが容易である利点を有している。
【０００４】
このような樹脂成形による光ピックアップ装置用の対物レンズとして、光学機能面の外周にフランジ部を設け、基準面側のフランジ面を基準となる面と段差をつけた低い面の２つの面に形成し、入子と入子が挿入される周辺部の金型の嵌合する位置を、段差をつけた低い面又は外周に位置させたプラスチックレンズが知られている（例えば、特許文献１参照）。
【特許文献１】特開平９−１３１８０２号公報
【発明の開示】
【発明が解決しようとする課題】
【０００５】
近年、ＢＤやＨＤなどの、青紫色レーザを使用する、より高密度な光情報記録媒体が市場に出てきている。このような光ディスクの高密度化に伴い、レンズのＮＡ（開口数）も高ＮＡ化が求められている。高密度光情報記録媒体用の光ピックアップ装置に用いられる高いＮＡを必要とする対物レンズは、光源側に面した光学機能面の曲率は非常に大きくなり、大きく突出した形状となる。このような光学素子を成形する場合、樹脂を金型内に注入した際に型の全体に樹脂が行き渡りにくくなり、金型内に残留する空気が空気溜まりを形成し、転写性に悪影響を与えるという問題がある。
【０００６】
本発明は上記問題に鑑み、高いＮＡの値であっても良好な面精度が確保できる樹脂成形用金型及び光学素子を得、鏡枠に取り付ける際に光学素子にも組み立て上の障害が生じない光ピックアップ装置を得ることを目的とする。
【課題を解決するための手段】
【０００７】
上記の目的は、下記に記載する発明により達成される。
【０００８】
１．光学機能部と該光学機能部の周辺にフランジ部を有し、前記光学機能部のＮＡ値が０．７以上であって、前記光学機能部は、互いに向かい合う第１の光学機能面と第２の光学機能面とを有し、前記第１の光学機能面のほうが前記第２の光学機能面よりも曲率が小さい光学素子を製造する樹脂成形用金型において、前記樹脂成形用金型は、前記第１の光学機能面を形成する第１の金型部と、前記第２の光学機能面を形成する第２の金型部とを有し、前記第１の金型部又は前記第２の金型部の前記フランジ部を形成する部分に、前記第１の金型部と前記第２の金型部を合わせた際に型内の空気を抜くための空隙部が設けられており、前記フランジ部を形成する部分と接する前記空隙部の光軸方向の寸法が、０．００１ｍｍ〜０．１ｍｍに形成されていることを特徴とする樹脂成形用金型。
【０００９】
２．前記光学素子は型開き状態で前記第１の金型部に残ることを特徴とする１に記載の樹脂成形用金型。
【００１０】
３．前記光学素子は型開き状態で前記第２の金型部に残ることを特徴とする１に記載の樹脂成形用金型。
【００１１】
４．前記空隙部は前記第１の金型部の前記フランジ部を形成する部位に設けられていることを特徴とする１〜３のいずれかに記載の樹脂成形用金型。
【００１２】
５．前記空隙部は前記第２の金型部の前記フランジ部を形成する部位に設けられていることを特徴とする１〜３のいずれかに記載の樹脂成形用金型。
【００１３】
６．前記空隙部は、前記樹脂成形用金型に樹脂を注入するための樹脂注入部に対向して設けられていることを特徴とする１〜５のいずれかに記載の樹脂成形用金型。
【００１４】
７．前記空隙部の周方向の幅をＨとし、金型の前記光学素子の外形に対応する部位において、光軸方向から見た際の光軸を中心とした距離において最小の寸法をＤとしたとき、
０．０１Ｄ≦Ｈ≦Ｄ
を満たすことを特徴とする１〜６のいずれかに記載の樹脂成形用金型。
【００１５】
８．互いに向かい合う第１の光学機能面と第２の光学機能面とを有し、ＮＡ値が０．７以上の光学機能部と、該光学機能部の周辺にフランジ部と、を有する光学素子であって、前記第１の光学機能面のほうが前記第２の光学機能面よりも曲率が小さく、前記フランジ部に光軸と直交する方向に突出した凸部を有し、前記凸部の前記フランジ部と接する部位の光軸方向の厚みが、０．００１ｍｍ〜０．１ｍｍに形成されていることを特徴とする光学素子。
【００１６】
９．前記凸部は、樹脂を注入するための樹脂注入部に対向して設けられていることを特徴とする８に記載の光学素子。
【００１７】
１０．前記凸部の周方向の幅をＨとし、前記光学素子の外形において、光軸方向から見た際の光軸を中心とした距離において最小の寸法をＤとしたとき、
０．０１Ｄ≦Ｈ≦Ｄ
を満たすことを特徴とする８又は９に記載の光学素子。
【００１８】
１１．前記凸部の位置は、前記フランジ部の光軸方向における中点よりも前記第２の光学機能面側にあることを特徴とする８〜１０のいずれかに記載の光学素子。
【００１９】
１２．前記凸部の位置は、前記フランジ部の光軸方向における中点よりも前記第１の光学機能面側にあることを特徴とする８〜１０のいずれかに記載の光学素子。
【００２０】
１３．８〜１２のいずれかに記載の光学素子を有することを特徴とする光ピックアップ装置。
【００２１】
１４．前記光学素子を保持するホルダは、前記光学素子の凸部に対応する位置に逃げが形成されていることを特徴とする１３に記載の光ピックアップ装置。
【００２２】
１５．前記凸部を覆い、前記第１の光学機能面の面頂点よりも光軸方向の高さが高いプロテクタを固着したことを特徴とする１３又は１４に記載の光ピックアップ装置。
【発明の効果】
【００２３】
本発明によれば、高ＮＡ値であっても良好な面精度が確保できる樹脂成形用金型及び光学素子を得ることが可能となり、鏡枠に取り付ける際に組み立て上の障害が生じない光ピックアップ装置を得ることが可能となる。
【発明を実施するための最良の形態】
【００２４】
以下、実施の形態により本発明を詳しく説明するが、本発明はこれに限定されるものではない。
【００２５】
図１は、本実施の形態に係る光学素子である光ピックアップ装置用対物レンズの一例を示す側面図である。
【００２６】
同図に示す光ピックアップ装置用対物レンズ１（以下、対物レンズとも称す）は、光学機能部である光学機能面１ａと光学機能面１ｂ及びこの光学機能面の周辺に形成された鍔状のフランジ部１ｆを有している。なお、以下で、円形の光学機能面及び円形のフランジ部を有するもので説明するが、フランジ部１ｆが部分的に形成されたものや外形が矩形状のものであってもよい。また、光学機能面１ａ、１ｂの少なくとも一方に輪帯状の段差を有する回折面等の光路差付与構造が形成されたものであってもよい。
【００２７】
同図に示す対物レンズ１は、光ピックアップ装置においては、光学機能面１ｂが光ディスク側に面し、光学機能面１ａが光源側に面するように配置されることが好ましい。なお、本実施の形態においては、光ディスク側に面する光学機能面１ｂが第１の光学機能面に相当し、光源側に面する光学機能面１ａが第２の光学機能面に相当する。
【００２８】
同図に示すように、光源側に面する第２の光学機能面（光学機能面１ａ）は、光ディスク側に面する第１の光学機能面（光学機能面１ｂ）より曲率が大きく、更に、有効径は第２の光学機能面（光学機能面１ａ）が第１の光学機能面（光学機能面１ｂ）より大きいことが好ましい。また、第２の光学機能面の有効径は０．３ｍｍ以上７ｍｍ以下であることが好ましく、０．５ｍｍ以上４ｍｍ以下であればより好ましい。
【００２９】
また、フランジ部１ｆに、光軸と直交する方向に凸部１５が形成されている。
【００３０】
図２は、図１に示す対物レンズ１を製造するための樹脂成形用金型の概略構成を示す断面図である。なお、以下の図においては、説明の重複を避けるため、同機能部材には同符号を付与して説明する。
【００３１】
同図に示す樹脂成形用金型は、パーティングラインＰＬを境にして第１の金型部である金型部１１と第２の金型部である金型部１２及び金型部１６で構成されている。また、金型部１１が可動側、金型部１２及び金型部１６が固定側の金型に相当する。
【００３２】
金型部１１には、対物レンズ１の光学機能面１ｂ（第１の光学機能面）を形成するための形状１１ｂが形成されている。更に、対物レンズ１のフランジ部１ｆの位置には突き出し部１３が、例えば円周上の４箇所に、設けられている。この突き出し部１３は、金型部１１に対し相対的にフランジ部１ｆ側に移動可能とされている。この突き出し部１３と金型部１１は、直径のクリアランス０．００１〜０．０６ｍｍで嵌合しており、更に図示の如く、金型部１１内部では、突き出し部１３と金型部１１との間には大きな隙間が形成されている。
【００３３】
金型部１２及び金型部１６からなる固定側の金型は、対物レンズ１の光学機能部のうち大きい曲率を有する光学機能面である光学機能面１ａ（第２の光学機能面）を形成するための形状１２ａを有する入れ子の金型部１２と、フランジ部１ｆの第２の光学機能面側の面の中で最外周の段差部を形成する金型部１６とが、別部材により形成されている。また、１ｇは樹脂注入部であるゲートであり、ここから溶融した樹脂材料が注入される。
【００３４】
また図示の如く、可動側の金型部１１のフランジ部１ｆの周辺の一部には、ゲート１ｇに対向して、金型内に残留する空気を排気する為の、例えば溝状の空隙部１４（以下、エアベントと称す）が光軸に直交する方向に形成されている。この空隙部であるエアベント１４のフランジ部と接する部位の光軸方向の寸法ｔは、０．００１ｍｍ〜０．１ｍｍに形成されている。なお、エアベントは、固定側の金型部１６に設けてもよい。
【００３５】
この空隙部であるエアベント１４の光軸方向の寸法ｔは、０．０１ｍｍ〜０．１ｍｍであることが好ましい。さらに、０．０２ｍｍ〜０．１ｍｍに形成するとより好ましく、０．０２〜０．０７ｍｍが更に好ましく、０．０４ｍｍ〜０．０７ｍｍに形成すると更に好ましい。
【００３６】
図３は、図２に示す樹脂成形用金型の型開き状態及び突き出し部の作動状態を示す図である。同図（ａ）は型開き状態を示し、同図（ｂ）は突き出し部の作動状態を示している。
【００３７】
以下、図２及び図３を用いて対物レンズ１の成形工程を説明する。
【００３８】
まず、図２に示す状態で、ゲート１ｇから溶融状態の樹脂材料が注入される。この時、エアベント１４から、金型内部の気体を流出させる。この金型内部の脱気に関しては、真空ポンプ等の吸気する機器及びＯリング等を用いた金型内部密封機構を設け、金型に溶融された樹脂材料が注入される前に吸引して事前に脱気しておく方法、金型に溶融された樹脂材料の注入中に吸引を行って脱気する方法、金型に溶融された樹脂材料が注入される前より吸引を開始し、注入中も吸引を行って脱気する方法等が用いられるとより好ましく、このようにすることにより、金型の形状の対物レンズ１への転写性がより向上し、より高精度の光学機能面１ａ、１ｂを形成することが可能となる。
【００３９】
なお、このとき、エアベント１４にも溶融状態の樹脂材料が入り込み、凸部１５が形成される。
【００４０】
次いで、図３（ａ）に示すように、金型部１１が金型部１２及び金型部１６から離間するよう移動する。この時、対物レンズ１は、金型部１１側に残った状態となる。この構成を採用すると、凸部１５は、第１の光学機能面よりも第２の光学機能面に近い側に形成されることになる。
【００４１】
この後、図３（ｂ）に示すように、金型１１からフランジ部１ｆに相当する位置に配置された突き出し部１３を図示矢印方向に突出させて対物レンズ１を離型させることで、ゲート１ｇが付いた状態の対物レンズ１となる。この突き出し部１３は、複数箇所に設けられており、それぞれの突き出し部１３の作動は同時もしくは異なったとしても突き出しタイミングの差が０．５秒以内に収まって、全ての突き出しが完了するようになっていることが、対物レンズ１の変形を防止する上で好ましい。
【００４２】
なお、上述の実施例においては、光学素子が型開き状態で第１の金型部に残り、その後、複数の突き出し部を突出させることで、第１の金型部から光学素子を離型する例を説明した。しかしながら、本発明を適用することができる態様は上述の態様に限られるものではない。例えば、光学素子が型開き状態で第２の金型部に残るような態様でも本発明は適用可能である。また、光学素子が型開き状態で第２の金型部に残る態様の場合、複数の突き出し部を用いずに、第２の金型部をコア部（光学機能面を形成する中心側の金型部分）とキャビ部（フランジ部を形成する周辺側の金型部分）に分割し、コア部を突出させることにより、光学素子を離型するようにしてもよい。
【００４３】
図４は、図２及び図３に示す樹脂成形用金型で成形された、ゲート１ｇが付いた状態の対物レンズ１の一例を示す図である。同図（ａ）は対物レンズ１を突き出し部側から見た平面図、同図（ｂ）は側面図である。
【００４４】
同図（ａ）は、突き出し部が略９０度間隔でフランジ部１ｆ上の１３ｎで示す４箇所に配置された場合を示している。この突き出し部による、突き出し部跡は、その後の光ヘッド部への組み込み時に、光学機能面１ａと１ｂの判別をする指標となり、組み込みをより容易にする効果をも有している。
【００４５】
同図（ａ）、（ｂ）に示すように、空隙部に流入した樹脂は、フランジ部１ｆから突出した凸部１５として形成される。この凸部１５は、金型での空隙部の光軸方向の寸法が０．００１〜０．１０ｍｍ程度の場合、図示Ａの寸法は０．０１〜０．４ｍｍ程度に形成される。０．１〜０．４ｍｍであればより好ましい。また、図示していない空隙部の周方向の幅寸法が１．０〜２．５ｍｍ程度の場合、凸部１５の幅、図示Ｈの寸法が１．０〜２．５ｍｍ程度に形成される。この凸部は、光ヘッド部への組み込み時に、光軸を中心とした対物レンズの回転位置を判別する際に指標となり、即ち、回転角度基準として用いることができ、組み込みをより容易にする効果も有している。
【００４６】
また、凸部１５のフランジ部１ｆと接する部位の光軸方向の厚みｔは、０．００１ｍｍ〜０．１ｍｍに形成される。この凸部１５の厚みｔは、０．０１ｍｍ〜０．１ｍｍに形成されるとより好ましい。０．０２ｍｍ〜０．１ｍｍに形成されるとより好ましく、０．０２ｍｍ〜０．０７ｍｍに形成されると更に好ましく、０．０４ｍｍ〜０．０７に形成されると更に好ましい。
【００４７】
更に、凸部１５の周方向の幅Ｈは、対物レンズ１が円形の場合、最外径の寸法をＤとすると、０．０１Ｄ≦Ｈ≦Ｄを満足するように形成されていることが好ましい。より好ましくは、０．２Ｄ≦Ｈ≦Ｄであり、０．４Ｄ≦Ｈ≦Ｄであればより好ましく、０．４Ｄ≦Ｈ≦０．８Ｄとなるように形成されていると更に好ましい。
【００４８】
図５は、ゲート１ｇが除去された完成品の対物レンズ１の一例を示す図である。同図（ａ）は対物レンズ１を突き出し部側から見た平面図、同図（ｂ）は側面図である。
【００４９】
同図に示すように、図４に示すゲート１ｇ及び凸部１５が付いた状態の対物レンズ１から、ゲート１ｇが除去されて光ピックアップ装置に用いられる形の光学素子となる。
【００５０】
なお、図１〜図５においては、フランジ部１ｆの第２の光学機能面（光学機能面１ａ）側の面が階段状に形成されるもので説明したが、これに限るものでなく、フランジ部１ｆが略等厚に形成されたものであってもよいのは勿論である。
【００５１】
図６は、光学素子である対物レンズ１の外形が円形でない場合の、外形と凸部１５の幅の好ましい形態を示す図である。同図（ａ）、（ｂ）は光学機能部が円形で、フランジ部が円形でない小判状の場合を示し、同図（ｃ）、（ｄ）は光学機能部及びフランジ部が円形でない小判状の場合を示している。
【００５２】
同図（ａ）、（ｂ）に示すように、対物レンズ１の外形が円形でない場合には、対物レンズ１の外形の最小部の寸法をＤとして、凸部１５の周方向の幅Ｈが、０．０１Ｄ≦Ｈ≦Ｄを満足するように形成されていることが好ましい。さらに、０．２Ｄ≦Ｈ≦Ｄを満足するように形成されていることが好ましい。この場合も、０．４Ｄ≦Ｈ≦Ｄであればより好ましく、０．４Ｄ≦Ｈ≦０．８Ｄとなるように形成されていると更に好ましい。
【００５３】
なお、図４に示した対物レンズ１では、凸部１５は、ゲート１ｇと光軸Ｏを繋ぐ線の延長線上に配置されている例で説明したが、以下のような配置であってもよい。
【００５４】
図７は、対物レンズ１のゲート１ｇと凸部１５の配置例を示す図である。
【００５５】
同図に示すように、凸部１５の幅方向の中点Ａと光軸Ｏを繋ぐ線と、ゲート１ｇと光軸Ｏを繋ぐ線とがある角度θをなすように配置されていてもよく、θが略３０度以内で対向して配置されていることが好ましい。
【００５６】
図８は、凸部１５の光軸方向での位置を示す図である。
【００５７】
同図（ａ）に示すように、凸部１５の光軸方向での位置を、フランジ部１ｆの光軸方向における中点Ｃよりも第２の光学機能面１ａ側とすることにより、対物レンズ１を型開き状態で、曲率の小さい第１の光学機能面１ｂ側を形成する第１の金型部に残らせることが容易になる点で好ましい。
【００５８】
また、同図（ｂ）に示すように、凸部１５の光軸方向での位置は、フランジ部１ｆの光軸方向における中点Ｃよりも第１の光学機能面１ｂ側とすることにより、対物レンズ１をピックアップ装置に組み付ける際に凸部１５が取り付け面と干渉する危険度を低減することができる点で好ましい。特に好ましくは、ボビンに対物レンズを取り付ける際に、凸部がボビンの取り付け基準面から一段高くなった面よりも高い位置に存在するような位置に凸部が存在することである。
【００５９】
図９は、本実施の形態に係る光学素子である対物レンズ１を有した光ピックアップ装置１００の一例を示す斜視図である。同図は、ワイヤにより支持されたホルダに、対物レンズ１が組み付けられたものの例を示している。
【００６０】
同図に示すように、光ピックアップ装置１００は、光学系ユニット３０、反射部材４０、対物レンズ１が組み付けられたホルダ２０で構成されている。なお、不図示であるが光ディスクは対物レンズ１の上方に位置している。
【００６１】
光学系ユニット３０は、対物レンズ１にレーザ光を出射するレーザ光源と光ディスクから戻ってきた光を受光する受光部と、これらの光路を構成する光学部材で構成されている。反射部材４０は、光学系ユニット３０から出射された光束を対物レンズ１に入射させると共に、該光束の光ディスクからの反射光を光学系ユニット３０に導くものである。
【００６２】
ホルダ２０は支持部材２７から延びる４本の可撓性のワイヤ２６により支持され、ワイヤ２６をサスペンションとして光軸方向（フォーカシング方向）及び光軸直交方向（トラッキング方向）の所定範囲の移動が可能となっている。また、不図示であるが、ホルダ２０には、フォーカス駆動用コイル、トラッキング駆動用コイル、マグネット、外ヨーク、内ヨークによる磁気回路が構成されている。これらフォーカス駆動用コイル、トラッキング駆動用コイルに給電することにより、ホルダ２０を対物レンズ１の光軸方向（フォーカシング方向）及び光軸直交方向（トラッキング方向）に揺動可能となっている。また、これらのコイルには、ワイヤ２６を介して電源が供給されるようになっている。
【００６３】
更に、不図示であるが、光学系ユニット３０、反射部材４０、ホルダ２０を一体的に光ディスクの半径方向に移動させる移動機構が設けられている。
【００６４】
図１０は、ホルダ２０の対物レンズ１が組み付けられる部位の概略を示す図である。同図（ａ）は平面図、同図（ｂ）は断面図であり、凸部１５がフランジ部１ｆの光軸方向における中点Ｃよりも第２の光学機能面１ａ側の端面にある対物レンズの場合を示している。
【００６５】
同図に示すように、ホルダ２０にはフランジ部１ｆの第２の光学機能面１ａ側の面を受ける受け面が形成されている。一方、凸部１５近傍は、逃げが形成されホルダと当接しないように形成されている。
【００６６】
更に同図（ｂ）に示すように、フランジ部１ｆの第１の光学機能面１ｂ側の面にはプロテクタ２１が組み付けられる。このプロテクタ２１の光ディスク側の高さは、図示の如く、第１の光学機能面１ｂの面頂点よりも高いものである。これにより、例え凸部が折れ曲がった時でも、レンズやディスクに凸部が接触する事を防止できる。尚、プロテクタを、ホルダに組み付けてもよいし、ホルダに貼り付けてもよい。
【００６７】
以上説明したように、フランジ部を有した光学素子である対物レンズを成形する金型の、エアベントの空隙部の光軸方向の寸法を、０．０１ｍｍ〜０．１ｍｍとすることにより、金型内に残留する空気の排気を充分に行うことができ、転写性を良好にでき、光学素子が高ＮＡ値の対物レンズの場合であっても面精度の確保が可能な樹脂成形用金型を得ることができる。
【００６８】
また、フランジ部の光軸と直交する方向に、フランジ部と接する部位の光軸方向の厚みが、０．０１ｍｍ〜０．１ｍｍの凸部が形成されるようにすることにより、良好な面精度の確保された高ＮＡ値の対物レンズを得ることが可能となる。
【図面の簡単な説明】
【００６９】
【図１】本実施の形態に係る光学素子である光ピックアップ装置用対物レンズの一例を示す側面図である。
【図２】図１に示す対物レンズを製造するための樹脂成形用金型の概略構成を示す断面図である。
【図３】図２に示す樹脂成形用金型の型開き状態及び突き出し部の作動状態を示す図である。
【図４】図２及び図３に示す樹脂成形用金型で成形された、ゲートが付いた状態の対物レンズの一例を示す図である。
【図５】ゲートが除去された完成品の対物レンズの一例を示す図である。
【図６】光学素子である対物レンズの外形が円形でない場合の、外形と凸部の幅の好ましい形態を示す図である。
【図７】対物レンズのゲートと凸部の配置例を示す図である。
【図８】凸部の光軸方向での位置を示す図である。
【図９】本実施の形態に係る光学素子である対物レンズを有した光ピックアップ装置の一例を示す斜視図である。
【図１０】ホルダの対物レンズが組み付けられる部位の概略を示す図である。
【符号の説明】
【００７０】
１  対物レンズ（光学素子）
１ａ  第２の光学機能面
１ｂ  第１の光学機能面
１ｆ  フランジ部
１ｇ  ゲート
１１  金型部（第１の金型部）
１２  金型部（第２の金型部）
１３  突き出し部
１４  エアベント
１５  凸部
１６  金型部（第２の金型部）
【図１】
2008213397.tif 000003
【図２】
2008213397.tif 000004
【図３】
2008213397.tif 000005
【図４】
2008213397.tif 000006
【図５】
2008213397.tif 000007
【図６】
2008213397.tif 000008
【図７】
2008213397.tif 000009
【図８】
2008213397.tif 000010
【図９】
2008213397.tif 000011
【図１０】
2008213397.tif 000012